【手続補正書】
【提出日】平成16年3月25日(2004.3.25)
【手続補正１】
【補正対象書類名】明細書
【補正対象項目名】発明の名称
【補正方法】変更
【補正の内容】
【発明の名称】アクティブマトリクス型表示装置の駆動回路及び電子機器及び電気光学装置の駆動方法及び電気光学装置


【手続補正２】
【補正対象書類名】明細書
【補正対象項目名】特許請求の範囲
【補正方法】変更
【補正の内容】
【特許請求の範囲】
【請求項１】
電気光学素子からなる複数の画素がマトリクス状に配列された表示装置をアクティブ駆動する駆動回路であって、
第１の電位を供給する第１の電源線及び前記第１の電位よりも低い第２の電位を供給する第２の電源線のいずれか一方に電気的に接続される第１の端子と、
前記第１及び前記第２の電源線のいずれか一方に前記電気光学素子を介して電気的に接続される第２の端子と、を含み、
前記電気光学素子が第１の動作状態であるときには、前記第１の端子は前記第１の電源線に電気的に接続され、かつ、前記第２の端子は前記電気光学素子を介して前記第２の電源線に電気的に接続された状態となり、
前記電気光学素子が第２の動作状態であるときには、前記第１の端子は前記第２の電源線に電気的に接続され、かつ、前記第２の端子は前記電気光学素子を介して前記第１の電源線に電気的に接続された状態となるタイミングが少なくともあること、を特徴とするアクティブマトリクス型表示装置の駆動回路。
【請求項２】
前記電気光学素子の動作状態を制御するための駆動トランジスタと、
前記駆動トランジスタをオン状態に保持するための電荷を蓄積する容量素子と、外部信号に応じて前記容量素子への充電を制御する充電制御トランジスタと、を更に含み、
前記容量素子を構成する一方の電極は前記第１の端子に電気的に接続され、
前記容量素子を構成する他方の電極は前記駆動トランジスタのゲート電極に電気的に接続され、
前記第１の端子と前記第２の端子とが前記駆動トランジスタのソース及びドレインを介して電気的に接続されていること、を特徴とする請求項１記載のアクティブマトリクス型表示装置の駆動回路。
【請求項３】
前記第１の動作状態と前記第２の動作状態で、前記駆動トランジスタのソースとドレインとの間を流れる電流方向が異なることを特徴とする請求項１に記載のアクティブマトリクス型表示装置の駆動回路。
【請求項４】
前記電気光学素子の動作状態を制御するための駆動トランジスタと、
前記駆動トランジスタをオン状態に保持するための電荷を蓄積する容量素子と、外部信号に応じて前記容量素子への充電を制御する充電制御トランジスタと、を更に含み、
前記容量素子を構成する一方の電極は前記容量素子の充電期間にオフ状態になる選択トランジスタを介して前記第１の端子に電気的に接続され、
前記容量素子を構成する他方の電極は前記駆動トランジスタのゲート電極に電気的に接続され、
前記第１の端子と前記第２の端子とが前記駆動トランジスタのソース及びドレイン並びに前記選択トランジスタのソース及びドレインを介して電気的に接続されていること、を特徴とする請求項１記載のアクティブマトリクス型表示装置の駆動回路。
【請求項５】
前記電気光学素子の動作状態を制御するための駆動トランジスタと、
前記駆動トランジスタをオン状態に保持するための電荷を蓄積する容量素子と、外部信号に応じて前記容量素子への充電を制御する充電制御トランジスタと、を更に含み、
前記容量素子を構成する一方の電極は前記駆動トランジスタのゲート電極に電気的に接続され、
前記容量素子を構成する他方の電極はグランドに電気的に接続され、
前記第１の端子と前記第２の端子とが前記駆動トランジスタのソース及びドレインを介して電気的に接続されていること、を特徴とする請求項１記載のアクティブマトリクス型表示装置の駆動回路。
【請求項６】
請求項１乃至５のいずれかに記載のアクティブマトリクス型表示装置の駆動回路であって、前記電気光学素子が有機エレクトロルミネッセンス素子であることを特徴とするアクティブマトリクス型表示装置の駆動回路。
【請求項７】
請求項１乃至６のいずれかに記載の駆動回路を備えるアクティブマトリクス型表示装置が実装されてなる電子機器。
【請求項８】
第１の電位を有する第１の電源線と、前記第１の電位より低電位である第２の電位を有する第２の電源線と、前記第１の電源線と前記第２の電源線との間に電気的に配置された電気光学素子と、を備えた電気光学装置の駆動方法であって、
前記電気光学素子の一端を前記第１の電源線に電気的に接続するときは、前記電気光学素子の他端を前記第２の電源線に接続し、
前記電子素子の前記一端を前記第２の電源線に電気的に接続するときは、前記電気光学素子の前記他端を前記第１の電源線と電気的に接続すること、
を特徴とする電気光学装置の駆動方法。
【請求項８】
請求項７に記載の電気光学装置の駆動方法において、前記電気光学素子は電流により駆動される電流駆動素子であること、
を特徴とする電気光学装置の駆動方法。
【請求項９】
第１の電位を有する第１の電源線と、前記第１の電位より低電位である第２の電位を有する第２の電源線と、前記第１の電源線と前記第２の電源線との間に電気的に配置された電気光学素子と、を備えた電気光学装置であって、
前記電気光学素子の一端が前記第１の電源線に電気的に接続されるときは、前記電気光学素子の他端が前記第２の電源線に接続され、
前記電気光学素子の前記一端が前記第２の電源線に電気的に接続されるときは、前記電気光学素子の前記他端が前記第１の電源線と電気的に接続されること、
を特徴とする電気光学装置。
【請求項１０】
請求項９に記載の電気光学装置において、前記電気光学素子は、データ信号を供給するデータ線と、走査信号を供給する走査線との交点に対応して配置された単位回路内に配置されていること、
を特徴とする電気光学装置。
【請求項１１】
請求項１０に記載の電気光学装置において、
前記単位回路は、前記電気光学素子の導通状態を制御する第１のトランジスタと、  前記走査線にゲート電極が接続された第２のトランジスタと、
前記第１のトランジスタのゲート電極に接続され、前記データ線により供給される前記データ信号に対応した電荷を蓄積する容量素子と、
を含むこと、
を特徴とする電気光学装置。
【手続補正３】
【補正対象書類名】明細書
【補正対象項目名】０００１
【補正方法】変更
【補正の内容】
【０００１】
【発明の属する技術分野】
本発明は有機エレクトロルミネッセンス(Eectro Luminescense)素子（以下、「有機エレクトロルミネッセンス素子」と称する）などの電気光学素子を用いたアクティブマトリクス型表示装置の駆動回路及び電子機器及び電気光学装置の駆動方法及び電気光学装置に関し、特に電気光学素子の劣化を抑制するために電気光学素子に対し逆バイアス印加する機能を有した駆動回路及び電子機器及び電気光学装置の駆動方法及び電気光学装置に関する。


【手続補正４】
【補正対象書類名】明細書
【補正対象項目名】００１４
【補正方法】変更
【補正の内容】
【００１４】
そこで本発明は、消費電力やコストの増加をほとんど伴わずに有機エレクトロルミネッセンス素子などの電気光学素子に逆バイアスを印加することのできるアクティブマトリクス型表示装置の駆動回路及び電子機器及び電気光学装置の駆動方法及び電気光学装置を提供することを目的とする。


【手続補正５】
【補正対象書類名】明細書
【補正対象項目名】００１６
【補正方法】変更
【補正の内容】
【００１６】
また本発明による第２のアクティブマトリクス型表示装置の駆動回路は、
前記電気光学素子の動作状態を制御するための駆動トランジスタと、
前記駆動トランジスタをオン状態に保持するための電荷を蓄積する容量素子と、外部信号に応じて前記容量素子への充電を制御する充電制御トランジスタと、
を更に含み、
前記容量素子を構成する一方の電極は前記第１の端子に電気的に接続され、
前記容量素子を構成する他方の電極は前記駆動トランジスタのゲート電極に電気的に接続され、
前記第１の端子と前記第２の端子とが前記駆動トランジスタのソース及びドレインを介して電気的に接続されていること、を特徴とする。
さらに、前記第１の動作状態と前記第２の動作状態で、前記駆動トランジスタのソースとドレインとの間を流れる電流方向が異なることを特徴とする。


【手続補正６】
【補正対象書類名】明細書
【補正対象項目名】００２２
【補正方法】変更
【補正の内容】
【００２２】
また本発明の第１の電気光学装置の駆動方法は、第１の電位を有する第１の電源線と、前記第１の電位より低電位である第２の電位を有する第２の電源線と、前記第１の電源線と前記第２の電源線との間に電気的に配置された電気光学素子と、を備えた電気光学装置の駆動方法であって、
前記電気光学素子の前記一端を前記第１の電源線に電気的に接続するときは、前記電気光学素子の他端を前記第２の電源線に接続し、
前記電気光学素子の前記一端を前記第２の電源線に電気的に接続するときは、前記電気光学素子の前記他端を前記第１の電源線と電気的に接続すること、
を特徴とする。


【手続補正７】
【補正対象書類名】明細書
【補正対象項目名】００２３
【補正方法】変更
【補正の内容】
【００２３】
なお、「電気的に配置される」には、必ずしも直接電源線に電気光学素子が接続されている場合だけでなく、電源線と電気光学素子との間にトランジスタなどの他の素子が配置される場合も含まれるものとする。また、電気光学素子としては、例えば、液晶素子、電気泳動素子、エレクトロルミネッセンス素子などであり、また、電圧を印加、もしくは電流を供給することで駆動される素子を意味するものである。


【手続補正８】
【補正対象書類名】明細書
【補正対象項目名】００２４
【補正方法】変更
【補正の内容】
【００２４】
また本発明の第２の電気光学装置の駆動方法は、上記電気光学装置の駆動方法において、前記電気光学素子は電流により駆動される電流駆動素子であること、
を特徴とする。


【手続補正９】
【補正対象書類名】明細書
【補正対象項目名】００２５
【補正方法】変更
【補正の内容】
【００２５】
すなわち、電気光学素子が電流駆動素子である場合には、この駆動方法により電気光学素子には正方向と逆方向の電流が流れることになる。


【手続補正１０】
【補正対象書類名】明細書
【補正対象項目名】００２６
【補正方法】変更
【補正の内容】
【００２６】
また本発明の第１の電気光学装置は、第１の電位を有する第１の電源線と、前記第１の電位より低電位である第２の電位を有する第２の電源線と、前記第１の電源線と前記第２の電源線との間に電気的に配置された電気光学素子と、を備えた電気光学装置であって、
前記電気光学素子の一端が前記第１の電源線に電気的に接続されるときは、前記電気光学素子の他端が前記第２の電源線に接続され、
前記電気光学素子の前記一端が前記第２の電源線に電気的に接続されるときは、前記電気光学素子の前記他端が前記第１の電源線と電気的に接続されること、
を特徴とする。


【手続補正１１】
【補正対象書類名】明細書
【補正対象項目名】００２７
【補正方法】変更
【補正の内容】
【００２７】
また、本発明の第２の電気光学装置は、上記の電気光学装置において、前記電気光学素子は、データ信号を供給するデータ線と、走査信号を供給する走査線との交点に対応して配置された単位回路内に配置されていること、
を特徴とする。


【手続補正１２】
【補正対象書類名】明細書
【補正対象項目名】００２８
【補正方法】変更
【補正の内容】
【００２８】
また、本発明の第３の電気光学装置は、上記の電気光学装置において、
前記単位回路は、前記電気光学素子の導通状態を制御する第１のトランジスタと、  前記走査線にゲート電極が接続された第２のトランジスタと、
前記第１のトランジスタのゲート電極に接続され、前記データ線により供給される前記データ信号に対応した電荷を蓄積する容量素子と、
を含むこと、
を特徴とする。